(57)【要約】【課題】土壌をその土地に生息する自然植生植物でより効率的に緑化することが可能である植生マットを提供する。【解決手段】自然植生植物で緑化すべき土壌に敷設される植生マット１００は、長手方向に延在し、長手方向の少なくとも一端に挿入口１０３を有し、該挿入口１０３を介して埋土種子を含む現地発生土１１２を収容する複数の筒状部１０２と、該筒状部１０２内の挿入口１０３に隣接する位置に、筒状部１０２が膨らんだ空間を形成して挿入口１０３を開口状態に維持する開口形成手段（ダミー部材１０４）と、を備える。【選択図】図１
2017225403.tif 000002
【特許請求の範囲】
【請求項１】
自然植生植物で緑化すべき土壌に敷設される植生マットであって、
長手方向に延在し、長手方向の少なくとも一端に挿入口を有し、前記挿入口を介して埋土種子を含む現地発生土を収容する複数の筒状部と、
前記筒状部内の前記挿入口に隣接する位置に、前記筒状部が膨らんだ空間を形成して前記挿入口を開口状態に維持する開口形成手段と、
を備えることを特徴とする植生マット。
【請求項２】
前記開口形成手段は、所定の容量を有するダミー部材であり、前記挿入口が開口状態に維持されるように、前記ダミー部材が前記筒状部内で前記挿入口に隣接又は近接して配置されていることを特徴とする請求項１に記載の植生マット。
【請求項３】
前記複数の筒状部の少なくとも一部は、
前記緑化すべき土壌の自然環境に対応する埋土種子を含む現地発生土を収容するための第１収容部と、
前記筒状体の前記挿入口の少なくとも一方から離隔した位置で人工土を収容した第２収容部とからなり、
前記第１収容部に前記ダミー部材が収容されていることを特徴とする請求項２に記載の植生マット。
【請求項４】
前記開口形成手段は、前記筒状部内に配置された人工土入り植生袋であり、前記挿入口と前記人工土入り植生袋との間に前記現地発生土を収容するための空間が形成され、且つ、前記挿入口が開口状態に維持されるように前記人工土入り植生袋が前記挿入口に近接配置されていることを特徴とする請求項１に記載の植生マット。
【請求項５】
法面を自然植生植物で緑化するための法面緑化方法であって、
長手方向に延在し、長手方向の少なくとも一端に挿入口を有し、前記挿入口を介して埋土種子を含む現地発生土を収容する複数の筒状部、及び、前記筒状部内の前記挿入口に隣接する位置に、前記筒状部が膨らんだ空間を形成して前記挿入口を開口状態に維持する開口形成手段を備える植生マットを準備する工程と、
前記緑化すべき土壌に対応する自然環境から埋土種子を含む現地発生土を採取する工程と、
前記植生マットを前記法面に張設する工程と、
前記開口形成手段によって開口状態に維持された前記挿入口から前記現地発生土を前記筒状部に挿入する工程と、
を含むことを特徴とする法面緑化方法。
【請求項６】
前記開口形成手段は、所定の容量を有するダミー部材であり、前記挿入口が開口状態に維持されるように、前記ダミー部材が前記筒状部内で前記挿入口に隣接又は近接して配置され、
前記現地発生土を前記筒状部に挿入する工程は、前記ダミー部材を前記挿入口を介して前記筒状部から取り出し、その後に少なくとも一時的に開口状態を維持する前記挿入口から前記現地発生土を前記筒状部に挿入することを特徴とする請求項５に記載の法面緑化方法。
【請求項７】
前記複数の筒状部の少なくとも一部は、
前記緑化すべき土壌の自然環境に対応する埋土種子を含む現地発生土を収容するための第１収容部と、
前記筒状体の前記挿入口の少なくとも一方から離隔した位置で人工土を収容した第２収容部とからなり、
前記第１収容部に前記ダミー部材が収容されており、
前記現地発生土を前記筒状部に挿入する工程は、前記ダミー部材を前記挿入口を介して前記第１収容部から取り出し、その後に少なくとも一時的に開口状態を維持する前記挿入口から前記現地発生土を前記第１収容部に挿入することを特徴とする請求項６に記載の植生マット。
【請求項８】
前記開口形成手段は、前記筒状部内に配置された人工土入り植生袋であり、前記挿入口と前記人工土入り植生袋との間に前記現地発生土を収容するための空間が形成され、且つ、前記挿入口が開口状態に維持されるように前記人工土入り植生袋が前記挿入口に近接配置され、
前記人工土入り植生袋に隣接する空間に前記現地発生土を挿入することを特徴とする請求項５に記載の法面緑化方法。
【発明の詳細な説明】
【技術分野】
【０００１】
本発明は、法面を緑化するための植生マット及び法面緑化方法に関する。
【背景技術】
【０００２】
各種法面等の施工面においては、その緑化を積極的に行って、法面等の美化と共に土砂の流失を防止することが行われている。昨今の傾向として、土地又は地域ごとの自然環境における生物多様性を保護することが重要となっている。すなわち、工事目的における法面の表面及び表層の土砂流失防止の目的に加えて、施工場所の植生環境を保護することが同時に求められている。例えば、人工土等に洋芝などの外来植物の種を含ませて施工面を緑化すると、外来種の繁茂によって自然環境が変化するので、環境保護の観点から好ましくないといえる。よって、各地域において法面等を緑化する際、外来植物でなく、その土地（又は地域）に元来生息する自然植生植物を使用して法面等を緑化することが求められている。そして、外来植物を使用せずに在来の自然植生植物で土壌を緑化する様々な試みが為されている。
【０００３】
例えば、特許文献１の飛散種子捕捉用の植生マットは、ジュート、綿、あるいはパルプ等の自然繊維からなるマット基材（１１）に、内側壁面（１２ａ）が法面（２０）の設置面（２１）に対して立ち上がることになる捕捉開口（１２）を多数形成するとともに、マット基材（１１）の表面または裏面に補強網（１３）を一体化し、さらに、マット基材（１１）の裏面側に流亡防止シート（１４）を一体化したものである。各捕捉開口（１２）が法面（２０）上に開口していると、飛散してきた種子（３０）の一部が、捕捉開口（１２）内に入る、つまり捕捉される。すなわち、当該植生マット（１０）は最初から植生植物の種子（３０）を有していないものであって、施工後に外から飛散してきた種子（３０）、つまりその施工箇所の近傍に生育していた植物の種子（３０）を捕捉する。その結果、自然植生植物を植生植物として有効に利用でき、外来植物の使用を中止できるのである。なお、（）内に特許文献１の符号を示した。
【先行技術文献】
【特許文献】
【０００４】
特許第４７６７０４０号公報
【発明の概要】
【発明が解決しようとする課題】
【０００５】
しかしながら、特許文献１の植生マットを利用した緑化方法では、施工面の緑化において、敷設した後に在来植物の種子の飛来を待たなければならない。それ故、自然植生植物が発芽し、根を張るまでにある程度の時間を要する。そして、このように飛来した種子は、特に施工面が法面である場合には、降雨によって施工面から流出しやすいため、安定して自然植生植物を定着させることが困難である。すなわち、従来の方法では、施工面の緑化に多くの時間がかかることが問題であった。これに対し、本出願の発明者らは、緑化にかかる時間を短縮するために、特願２０１６−６９２７０において、人工土を収容するとともに、緑化すべき土壌の自然環境に対応する埋土種子を含む現地発生土を収容する植生マットを法面に敷設することを提案している。しかしながら、本出願の発明者らは、施工容易性の点で改良の余地が残されている点に着目した。
【０００６】
図１０は、本出願の発明者らが本願出願日前に発明した、人工土及び／又は現地発生土を収容可能な植生マット１を示している。図１０に示すとおり、該植生マット１は、不織布シートからなるマット状の基部２に、縦糸及び横糸を略直交に編み込んで形成したネット体を貼り合わせたものである。そして、ネット体によって長手方向に延伸する網状の長筒体として構成された筒状部３が複数設けられている。該筒状部３は、人工土や現地発生土などを内包する植生袋を保持可能に構成されている。当該植生マット１を利用して施工面を緑化するには、人工土入りの植生袋を収容した植生マット１を施工面に敷設した後、現地で調達した現地発生土入りの植生袋を側方に開口した挿入口４から筒状部３に収容させることが行われる。しかしながら、植生マット１が法面等の施工面にピンと張った状態で敷設されることから、筒状部３の挿入口４が閉じてしまい、該筒状部３の挿入口４を介して現地発生土入りの植生袋を筒状部３に挿入することが困難であった。
【０００７】
本発明は、上記課題を解決するためになされたものであり、その目的は、土壌をその土地に生息する自然植生植物でより効率的に緑化することが可能である植生マット、及び、法面緑化方法を提供することにある。
【課題を解決するための手段】
【０００８】
請求項１に記載の植生マットは、自然植生植物で緑化すべき土壌に敷設される植生マットであって、
長手方向に延在し、長手方向の少なくとも一端に挿入口を有し、前記挿入口を介して埋土種子を含む現地発生土を収容する複数の筒状部と、
前記筒状部内の前記挿入口に隣接する位置に、前記筒状部が膨らんだ空間を形成して前記挿入口を開口状態に維持する開口形成手段と、
を備えることを特徴とする。
【０００９】
請求項２に記載の植生マットは、請求項１に記載の植生マットにおいて、前記開口形成手段は、所定の容量を有するダミー部材であり、前記挿入口が開口状態に維持されるように、前記ダミー部材が前記筒状部内で前記挿入口に隣接又は近接して配置されていることを特徴とする。
【００１０】
請求項３に記載の植生マットは、請求項２に記載の植生マットにおいて、前記複数の筒状部の少なくとも一部は、
前記緑化すべき土壌の自然環境に対応する埋土種子を含む現地発生土を収容するための第１収容部と、
前記筒状体の前記挿入口の少なくとも一方から離隔した位置で人工土を収容した第２収容部とからなり、
前記第１収容部に前記ダミー部材が収容されていることを特徴とする。
【００１１】
請求項４に記載の植生マットは、請求項１に記載の植生マットにおいて、前記開口形成手段は、前記筒状部内に配置された人工土入り植生袋であり、前記挿入口と前記人工土入り植生袋との間に前記現地発生土を収容するための空間が形成され、且つ、前記挿入口が開口状態に維持されるように前記人工土入り植生袋が前記挿入口に近接配置されていることを特徴とする。
【００１２】
請求項５に記載の法面緑化方法は、法面を自然植生植物で緑化するための法面緑化方法であって、
長手方向に延在し、長手方向の少なくとも一端に挿入口を有し、前記挿入口を介して埋土種子を含む現地発生土を収容する複数の筒状部、及び、前記筒状部内の前記挿入口に隣接する位置に、前記筒状部が膨らんだ空間を形成して前記挿入口を開口状態に維持する開口形成手段を備える植生マットを準備する工程と、
前記緑化すべき土壌に対応する自然環境から埋土種子を含む現地発生土を採取する工程と、
前記植生マットを前記法面に張設する工程と、
前記開口形成手段によって開口状態に維持された前記挿入口から前記現地発生土を前記筒状部に挿入する工程と、
を含むことを特徴とする。
【００１３】
請求項６に記載の法面緑化方法は、請求項５に記載の法面緑化方法において、前記開口形成手段は、所定の容量を有するダミー部材であり、前記挿入口が開口状態に維持されるように、前記ダミー部材が前記筒状部内で前記挿入口に隣接又は近接して配置され、
前記ダミー部材を前記挿入口を介して前記筒状部から取り出し、その後に少なくとも一時的に開口状態を維持する前記挿入口から前記現地発生土を挿入することを特徴とする。
【００１４】
請求項７に記載の法面緑化方法は、請求項６に記載の法面緑化方法において、前記複数の筒状部の少なくとも一部は、
前記緑化すべき土壌の自然環境に対応する埋土種子を含む現地発生土を収容するための第１収容部と、
前記筒状体の前記挿入口の少なくとも一方から離隔した位置で人工土を収容した第２収容部とからなり、
前記第１収容部に前記ダミー部材が収容されており、
前記現地発生土を前記筒状部に挿入する工程は、前記ダミー部材を前記挿入口を介して前記第１収容部から取り出し、その後に少なくとも一時的に開口状態を維持する前記挿入口から前記現地発生土を前記第１収容部に挿入することを特徴とする。
【００１５】
請求項８に記載の法面緑化方法は、請求項５に記載の法面緑化方法において、前記開口形成手段は、前記筒状部内に配置された人工土入り植生袋であり、前記挿入口と前記人工土入り植生袋との間に前記現地発生土を収容するための空間が形成され、且つ、前記挿入口が開口状態に維持されるように前記人工土入り植生袋が前記挿入口に近接配置され、
前記人工土入り植生袋に隣接する空間に前記現地発生土を挿入することを特徴とする。
【発明の効果】
【００１６】
請求項１に記載の発明によれば、開口形成手段によって筒状部内の挿入口に隣接する位置に筒状部が膨らんだ空間を形成して挿入口を開口状態に維持することにより、植生マットをピンと張った状態で施工面に敷設したとしても、該開口した挿入口から現地発生土等を収容部内に容易に挿入可能である。したがって、本発明の植生マットは、その施工容易性を改善するものである。
【００１７】
請求項２に記載の発明によれば、請求項１に記載の発明の効果に加えて、所定容量のダミー部材を筒状部内の挿入口近傍に配置したことにより、挿入口を開口状態に簡単に維持することが可能である。
【００１８】
請求項３に記載の発明によれば、請求項２に記載の発明の効果に加えて、植生マットは、少なくとも一部の筒状部内において、緑化すべき土壌の環境に対応する現地発生土を収容する第１収容部と、筒状体の挿入口の少なくとも一方から離隔した位置で人工土を収容した第２収容部とを備える。そして、第１収容部にダミー部材を収容しているとともに第２収容部に人工土を収容している。これにより、植生マットを施工面に張設したとしても、挿入口の開口状態が維持されている。さらに、現地発生土を第１収容部に収容させるべくダミー部材を挿入口から引き抜くことで、第１収容部に現地発生土を受け入れ可能な空間が確保されるともに挿入口が少なくとも一時的に開口する。よって、当該開口した挿入口を介して第１収容部に現地発生土を容易に挿入及び収容可能であり、結果として、植生マットによる緑化を簡単に実施することができる。したがって、本発明の植生マットは、土壌表面をその土地に生息する自然植生植物でより効率的に緑化することが可能である。
【００１９】
請求項４に記載の発明によれば、請求項１に記載の発明の効果に加えて、人工土入り植生袋を筒状部の挿入口に近接配置したことにより、挿入口を開口状態に簡単に維持することが可能である。
【００２０】
請求項５に記載の発明によれば、開口形成手段によって筒状部内の挿入口に隣接する位置に筒状部が膨らんだ空間を形成して挿入口を開口状態に維持することにより、植生マットをピンと張った状態で法面に敷設したとしても、該開口した挿入口から現地発生土等を収容部内に容易に挿入可能である。したがって、本発明の植生マットは、その施工容易性を改善するものである。
【００２１】
請求項６に記載の発明によれば、請求項５に記載の発明の効果に加えて、所定容量のダミー部材を筒状部内の挿入口近傍に配置し、ダミー部材を挿入口を介して筒状部から取り出し、その後に少なくとも一時的に開口状態を維持する挿入口から現地発生土を筒状部に挿入することにより、植生マットを法面に張設した状態で現地発生土を容易に充填することが可能である。
【００２２】
請求項７に記載の発明によれば、請求項６に記載の発明の効果に加えて、植生マットは、少なくとも一部の筒状部内において、緑化すべき土壌の環境に対応する現地発生土を収容する第１収容部と、筒状体の挿入口の少なくとも一方から離隔した位置で人工土を収容した第２収容部とを備える。そして、第１収容部にダミー部材を収容しているとともに第２収容部に人工土を収容している。これにより、植生マットを施工面に張設した後の段階で挿入口の開口状態が確実に維持されている。さらに、現地発生土を第１収容部に収容させるべくダミー部材を挿入口から引き抜くことで、第１収容部に現地発生土を受け入れ可能な空間が確保されるともに挿入口が少なくとも一時的に開口する。よって、当該開口した挿入口を介して第１収容部に現地発生土を容易に挿入及び収容可能であり、結果として、植生マットによる緑化を簡単に実施することができる。したがって、本発明の法面緑化方法は、土壌表面をその土地に生息する自然植生植物でより効率的に緑化することが可能である。
【００２３】
請求項８に記載の発明によれば、請求項７に記載の発明の効果に加えて、人工土入り植生袋を筒状部の挿入口に近接配置したことにより、挿入口を開口状態に簡単に維持し、人工土入り植生袋に隣接する空間に現地発生土を挿入することが可能である。
【図面の簡単な説明】
【００２４】
【図１】本発明の一実施形態の植生マットの概略斜視図。
【図２】図１の植生マットの部分拡大斜視図。
【図３】図１の植生マットの概略側面図。
【図４】法面緑化方法の一工程であって、ダミー部材を筒状部から取り出す工程を示す概略図。
【図５】法面緑化方法の一工程であって、開口形成手段（ダミー部材）によって開口状態に維持された挿入口から現地発生土入り植生袋を挿入する工程を示す概略図。
【図６】法面緑化方法の一工程であって、第１収容部の全てに現地発生土入り植生袋を収容した工程を示す概略図。
【図７】本発明の別実施形態の法面緑化方法の一工程であって、開口形成手段（人工土入り植生袋）によって開口状態が維持された挿入口から現地発生土入り植生袋を挿入する工程を示す概略図。
【図８】本発明の一変形例の植生マットの概略斜視図。
【図９】本発明の一変形例の植生マットの概略斜視図。
【図１０】先行技術における植生マットの概略斜視図。
【発明を実施するための形態】
【００２５】
以下、本発明の実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２６】
［第１実施形態］
図１は、本発明の一実施形態の植生マット１００の概略斜視図である。図２は、該植生マット１００の部分拡大斜視図である。図３は、該植生マット１００の概略側面図である。この植生マット１００は、縦横所定の大きさ及び所定の厚みを有する柔軟な平面長手状のマットである。当該植生マット１００は、不織布シートからなるマット状の基部１０１に、縦糸及び横糸を略直交に編み込んで形成したネット体を貼り合わせたものである。本実施形態では、植生マット１００が法面に敷設されたときに法面の傾斜方向に沿う方向を「縦」方向とし、法面の等高線方向に沿う方向を「横」方向として定義する。さらに、植生マット１００が法面に敷設されたときに法面の法肩側（上方又は高所側）に配置される側を「上」位置とし、法面の法尻側（下方又は低所側）に配置される側を「下」位置として定義する。なお、本発明において、「基部１０１」は不可欠な要素ではなく、省略可能である。
【００２７】
図１及び図２に示すとおり、本実施形態の植生マット１００は、マット状の基部１０１と、該基部１０１に固定され、長手方向に延伸する網状の複数の筒状部１０２とを備える。筒状部１０２は、現地発生土を含む現地発生土入り植生袋１１１や人工土を含む人工土入り植生袋１１２を内部に保持可能な長筒体である。なお、現地発生土は、法面の近隣の土地又は地域の土壌から採取されたものであり、緑化すべき土壌（法面）の自然環境に対応する埋土種子を含んでいる。一般に、埋土種子が土壌表層１０ｃｍ以内に多く含まれているので、現地発生土は土壌の表層１０ｃｍ程度からしか採取されない。それ故、現地発生土は、その量に限りがあり、非常に貴重である。他方、人工土は、ホームセンター等の市場で購入可能である一般的な培土や基材であり、その種類等は特に制限されない。
【００２８】
網状の筒状部１０２は、縦方向に位置する複数の縦糸と、該縦糸を連結する横糸とにより構成されて、横糸を表裏に分割してこれら各横糸のそれぞれに各縦糸を横方向に対して交互に編み込むことにより筒状を形成したものである。筒状部１０２は、２枚のネットが重ね合わされた袋状に形成されている。そして、筒状部１０２は、その長手方向が植生マット１００の横方向に沿うように一端から他端に亘って延在している。該筒状部１０２の長手方向の端部の一端又は両端が開口し、筒状の植生袋を挿入可能に構成されている。すなわち、該筒状部１０２は、可撓性を有し、長手方向の両端に挿入口１０３を有する。この筒状部１０２の可撓性により、挿入口１０３は開閉可能であり、該開口した挿入口１０３を介して現地発生土入り植生袋１１１を挿入可能である。
【００２９】
本実施形態の植生マット１００では、筒状部１０２は、現地発生土入り植生袋１１１を収容するための第１収容部１０５と、人工土入り植生袋１１２（又は人工土）を収容した第２収容部１０６とから構成されている。第１収容部１０５は、挿入口１０３に隣接して位置する。他方、第２収容部１０６は、第１収容部１０５に隣接するとともに挿入口１０３から離隔して位置している。本実施形態では、筒状部１０２の両端の挿入口１０３側に２箇所の第１収容部１０５が位置し、２箇所の第１収容部１０５の間に第２収容部１０６が位置している。つまり、第２収容部１０６は挿入口１０３から隔てて筒状部１０２の内側（央部）に配置されている。
【００３０】
また、本実施形態では、植生マット１００において、第１収容部１０５及び第２収容部１０６が規則的に並んでいる。本実施形態では、各筒状部１０２において、現地発生土を収容する第１収容部１０５と、人工土を収納する第２収容部１０６との割合が１：２である。つまり、植生マット１００上には、全体として、現地発生土による第１領域に対して、人工土による第２領域が２倍の面積で形成される。現地発生土の使用量の節約、及び、法面の緑化促進の観点から、本実施形態のような割合が好ましい。しかしながら、第１収容部１０５（現地発生土）及び第２収容部１０６（人工土）の割合は、入手できた現地発生土の量などに応じて任意に変更されてもよい。また、本実施形態の植生マット１００では、第１収容部１０５及び第２収容部１０６が植生マット１００の全ての筒状部１０２に同じ占有比率で並んでいるが、本発明はこれに限定されない。例えば、本発明の変形例において、複数の筒状部のうちの一部の筒状部は、第１収容部を有さずに第２収容部のみを有してもよい。あるいは、複数の筒状部のうちの一部又は全部の筒状部は、第２収容部を有さずに第１収容部のみを有してもよい。
【００３１】
そして、筒状部１０２の第１収容部１０５には、現地発生土入り植生袋１１１（又は現地発生土）のかわりに、所定の容量（又は容積）を有するダミー部材１０４が収容されている。ダミー部材１０４は、筒状部１０２内の挿入口１０３に隣接する位置に筒状部１０２が膨らんだ空間（筒状部１０２が膨らんだ断面形状）を形成して挿入口１０３を開口状態に維持する開口形成手段として機能する。本実施形態では、ダミー部材１０４は、筒状部１０２に収容可能であり、且つ、収容されるべき現地発生土入り植生袋１１１と同等又はそれに近い容量を有している。
【００３２】
また、図３に示すように、ダミー部材１０４は、挿入口１０３から外方に臨んでおり、挿入口１０３を開口状態に維持している。そして、ダミー部材１０４が挿入口１０３近傍に位置していることにより、開口状態の挿入口１０５を介して第１収容部１０５から簡単に除去可能である。本実施形態では、ダミー部材１０４は、樹脂製のスポンジ材料からなるが、当業者であれば任意の材料を選択可能である。例えば、軟質なポリエチレン製の袋に気体を充填して膨らませたものであってもよい。あるいは、硬質の樹脂や木材等の塊や、金属線を環状に束ねたものなどであってもよい。後述するとおり、法面緑化方法において、ダミー部材１０４が抜き取られ、そこに形成された開口状態の挿入口１０３から現地発生土入り植生袋１１１が挿入される。
【００３３】
また、筒状部１０２は、目が粗い粗部１０２ａ、及び、目が細かい密部１０２ｂを組み合わせてなる。なお、粗部１０２ａ及び密部１０２ｂは、縦横両方又はいずれかの目の大きさが相対的に異なる領域として定められている。粗部１０２ａは、植生マット１００の平面視において、長筒体の長手方向に直交する幅方向の一端側に偏って形成されている。特には、マット平面における縦方向の略上側半分を粗部１０２ａが占め、残りの略下側半分を密部１０２ｂが占めている。これにより、植生マット１００が法面に敷設されたときに、長筒体の外周の一部を占める粗部１０２ａが植生マット１００の上側に位置し、長筒体の外周の残りを占める密部１０２ｂが下側に位置する。本実施形態では、粗部１０２ａの目合いの大きさが、縦横約２０ｍｍ×約１２．５ｍｍであり、密部１０２ｂの目合いの大きさが、縦横約３ｍｍ×約１２．５ｍｍであるが、本発明は特定の寸法に限定されるものではない。
【００３４】
さらに、人工土を内包する人工土入り植生袋１１２の袋部分は、水解性又は生分解性の袋や、土の流出を防止するとともに通芽性及び通根性を有する目の細かいネットから選択され得る。他方、現地発生土を内包する現地発生土入り植生袋１１１の袋部分は、目の細かいネットであることが好ましく、特に水解性でないことが好ましい。なぜなら、採取した現地発生土は一般的に水分を多く含んでおり、第１収容部１０５に設置する前に袋部分が簡単に破けてしまう虞があるからである。
【００３５】
次に、図４乃至図６を参照して、本実施形態の法面植生構造１０を構築して法面を自然植生植物で緑化するための法面緑化方法について説明する。
【００３６】
まず、第１収容部１０５にダミー部材１０４を収容するとともに第２収容部１０６に人工土入り植生袋１１２を収容した植生マット１００を準備する。人工土入り植生袋１１２及びダミー部材１０４の筒状部１０２への挿入は、現場でなく工場等で事前に行われることが好ましい。植生マット１００の準備の前後において、法面（緑化すべき土壌）に対応する自然環境から現地発生土を採取して、現地発生土を植生袋に充填し、現地発生土入り植生袋１１１を形成する。次いで、植生マット１００を法面に敷設してアンカー等で固定する。植生マット１００は、ピンと張った状態で法面に張設される。このとき、筒状部１０２の長手方向が法面の傾斜方向に略直交し、尚且つ、筒状部１０２の粗部１０２ａが法面の法肩側に位置するように、植生マット１００を配置する。
【００３７】
そして、図４に示すように、ダミー部材１０４を挿入口１０３を介して筒状部１０２（第１収容部１０５）から取り出す。すなわち、挿入口１０３に隣接する位置に膨らんだ空間を形成するダミー部材１０４によって挿入口１０３が開口状態に維持されているので、取り出した直後においても、その開口状態が依然として少なくとも一時的に維持されている。図５に示すとおり、ダミー部材１０４を取り出した直後に開口状態を維持する挿入口１０３から現地発生土入り植生袋１１１を筒状部１０２に挿入し、第１収容部１０５に収容する。各筒状部１０２に対しても、順番に同様の工程を行うことによって、図６に示すように、法面に固定された植生マット１００上に現地発生土を配置した第１領域（第１収容部）１０５と、人工土を配置した第２領域（第２収容部）１０６を形成することができる。そして、経時によって、第１収容部１０５の現地発生土から先に自然植生植物が生育し、第２収容部１０６の人工土１１２ｂの領域を自然植生植物で包囲することによって、飛来種子を人工土１１２ｂの領域に効果的に捕捉する。これにより、法面をその土地に生息する自然植生植物でより効率的に緑化することが可能である
【００３８】
なお、ここで説明した方法は、一例にすぎず、当業者であれば、各工程の順序を入れ替え、又は、状況に応じて不要な工程を省略又は変更することも可能である。例えば、「ダミー部材１０４を取り出した直後」の「直後」とは、開口状態が維持される程度の時間を意味する。そのため、挿入口の開口状態が維持される間であれば、複数のダミー部材１０４を纏めて取り出した後、複数の現地発生土入り植生袋１１１を連続して挿入口１０３から第１収容部１０５に収容してもよい。
【００３９】
以下、本発明の一実施形態の植生マット１００及び法面緑化方法の作用効果について説明する。
【００４０】
本実施形態によれば、植生マット１００は、開口形成手段としてのダミー部材１０４を第１収容部１０５内に有し、筒状部１０２内の挿入口１０３に隣接する位置に筒状部１０２が膨らんだ空間（筒状部１０２が膨らんだ断面形状）を形成して挿入口１０３を開口状態に維持することが可能である。つまり、第１収容部１０５にダミー部材１０４を収容するとともに第２収容部１０６に人工土入り植生袋１１２を収容した植生マット１００を法面に張設したとしても、ダミー部材１０４によって当該挿入口１０３の開口状態が維持される。そして、現地発生土（又は現地発生土入り植生袋１１１）を第１収容部１０５に収容させるべくダミー部材１０４を挿入口１０３から引き抜くことで、第１収容部１０５に現地発生土を受け入れ可能な空間が確保されるともに挿入口１０３が少なくとも一時的に開口する。すなわち、ダミー部材１０４の取り出し直後は、挿入口１０３の開口状態が維持されているので、当該開口した挿入口１０３を介して第１収容部１０５に現地発生土入り植生袋１１１を容易に挿入及び収容することが可能である。その結果、法面の緑化を簡単に施工することができる。したがって、本実施形態の植生マット１００は、土壌表面をその土地に生息する自然植生植物でより効率的に緑化することが可能である。
【００４１】
［第２実施形態］
次に、図７を参照して、本発明の別実施形態の植生マット２００について説明する。図７は、本発明の第２実施形態の植生マット２００の概略斜視図である。なお、図面において、三桁で示される構成要素における下二桁が共通する構成要素に関しては、特別な説明がない限り、同一又は類似の特徴を有する。
【００４２】
図７に示すとおり、植生マット２００では、開口形成手段は、筒状部２０２内に配置された人工土入り植生袋２１２であり、挿入口２０３に隣接する位置に筒状部２０２が膨らんだ空間を形成して挿入口２０３を開口状態に維持する。そして、挿入口２０３と人工土入り植生袋２１２端部との間に現地発生土（又は現地発生土入り植生袋２１１）を収容するための空間（第１収容部２０５）が形成され、且つ、挿入口２０３が開口状態に維持されるように人工土入り植生袋２１２が挿入口２０３に近接配置されている。すなわち、人工土入り植生袋２１２（又は第２収容部２０６）が筒状部２０２の略中央から挿入口２０３近傍まで延在していることにより、人工土入り植生袋２１２に隣接する位置に膨らんだ空間が形成され、結果として挿入口２０３が開口状態に維持されている。これにより、植生マット２００をピンと張った状態で法面に敷設したとしても、開口した挿入口２０３から現地発生土入り植生袋２１１を簡単に第１収容部２０５に挿入可能である。挿入口２０３の開口を維持するのに十分な挿入口２０３から人工土入り植生袋１１２までの距離は、（人工土入り植生袋１１２の厚みにも依るが）約１００〜５００ｍｍ程度（好ましくは２００〜３００ｍｍ）である。ただし、本発明は上記寸法に限定されることはない。第２実施形態の植生マット２００は、第１実施形態と比べて、筒状部２０３内で第２収容部２０６の占有する割合が必然的に大きくなることから、第１収容部２０５を十分に確保できないが、ダミー部材を省略することができるという利点を有する。
【００４３】
［変形例］
本発明は、上記実施形態に限定されず、種々の実施形態や変形例を取り得る。以下、本発明の変形例を説明する。なお、図面において、三桁で示される構成要素における下二桁が共通する構成要素に関しては、特別な説明がない限り、同一又は類似の特徴を有する。
【００４４】
（１）本実施形態の植生マットは、マット状の基部と網状の筒状部からなるが、本発明の植生マットは上記実施形態に限定されない。植生マット全体を不織布等のシートや網状体としてもよい。例えば、植生マットの筒状部を不織布シートとした場合、植生袋を介さずに、筒状部内に直接的に現地発生土を充填可能となる。
【００４５】
（２）本実施形態の植生マットでは、筒状部の両端が開口しているが、筒状部の一端のみに挿入口を形成し、他端を閉塞させてもよい。この場合、ダミー部材は、筒状部の一端側に近接した空間のみに配置される。
【００４６】
（３）本実施形態の植生マット１００では、ダミー部材１０４が第１収容部１０５を完全に占有するように構成されたが、本発明は上記実施形態に限定されない。すなわち、筒状部の少なくとも一端の開口状態を維持可能であれば、ダミー部材は第２収容部の一部を占有するように構成されてもよい。例えば、図８に示した植生マット３００では、短筒状のダミー部材３０４が筒状部３０２端部に配置され、ダミー部材３０４と人工土入り植生袋３１２との間に空間（空隙）が設けられている。図９に示した植生マット４００では、挿入口４０３から若干離隔した位置に短筒状のダミー部材４０４が配置され、ダミー部材４０４と人工土入り植生袋４１２との間と、挿入口４０３近傍に空間（空隙）が設けられている。挿入口４０３の開口状態を維持するのに十分な挿入口４０３からダミー部材４０４までの距離は、（その厚みにも依るが）約５０〜２００ｍｍ程度である。ただし、本発明は上記寸法に限定されることはない。あるいは、図示しないが、筒状部に第２収容部（人工土入り植生袋）を省略して、第１収容部（現地発生土入り植生袋）のみを設け、該第１収容部の一部又は全部にダミー部材を収容してもよい。
【００４７】
なお、本発明は上述した複数の実施例に限定されるものではなく、本発明の技術的範囲に属する限りにおいて種々の態様で実施しうるものである。
【符号の説明】
【００４８】
１００，２００，３００，４００          植生マット
１０１，２０１，３０１，４０１          基部
１０２，２０２，３０２，４０２          筒状部
１０２ａ，２０２ａ，３０２ａ，４０２ａ  粗部
１０２ｂ，２０２ｂ，３０２ｂ，４０２ｂ  密部
１０３，２０３，３０３，４０３，        挿入口
１０４，３０４，４０４                  ダミー部材
１０５，２０５，３０５，４０５          第１収容部
１０６，２０６，３０６，４０６          第２収容部
１１１，２１１，３１１，４１１          現地発生土入り植生袋
１１２，２１２，３１２，４１２          人工土入り植生袋
【図１】
2017225403.tif 000003
【図２】
2017225403.tif 000004
【図３】
2017225403.tif 000005
【図４】
2017225403.tif 000006
【図５】
2017225403.tif 000007
【図６】
2017225403.tif 000008
【図７】
2017225403.tif 000009
【図８】
2017225403.tif 000010
【図９】
2017225403.tif 000011
【図１０】
2017225403.tif 000012